(57)【特許請求の範囲】
【請求項１】
基板に実装されたソケットにカード型記憶媒体が挿入されることによって上記ソケットを介して上記カード型記憶媒体と上記基板との電気的接続を可能にする記憶媒体接続装置であって、
上記カード型記憶媒体を上記ソケットに挿入するための挿入口が当該装置の外装材に形成され、
上記ソケットは、一の上記挿入口から挿入される異なる種別の複数のカード型記憶媒体と上記基板との電気的接続を上記複数のカード型記憶媒体毎に個別に中継するものであり、
上記ソケットに挿入されたカード型記憶媒体と上記基板との電気的接続を仲介するソケット端子と、上記基板に形成されたパターン端子との接続部が、上記複数のカード型記憶媒体の種類に応じて上記カード挿入方向にずらされて複数設けられており、
上記接続部のなかで、最も上記挿入口近傍にある上記接続部を覆い隠すように上記挿入口からカード型記憶媒体を挿入する方向へ延びる被覆部材が上記外装材に設けられてなる記憶媒体接続装置。
【請求項２】
上記被覆部材は、上記ソケットへの上記カード型記憶媒体の挿入を案内するものである請求項１に記載の記憶媒体接続装置。
【請求項３】
上記被覆部材が、上記外装材に一体に成型されてなる請求項１又は２に記載の記憶媒体接続装置。
【請求項４】
上記ソケットにおける上記複数のカード型記憶媒体それぞれとの接触部が、上記複数のカード型記憶媒体の種別に応じて上記カード記憶媒体の挿入方向にずらされて配設されてなる請求項１から３のいずれかに記載の記憶媒体接続装置。
【請求項５】
請求項１から４のいずれかに記載の記憶媒体接続装置を具備する情報機器。
【発明の詳細な説明】
【技術分野】
【０００１】
本発明は、基板に実装されたソケットを介してメモリカードなどのカード型記憶媒体と上記基板との電気的接続を可能にする記憶媒体接続装置及びこれを具備する情報機器に関する。
【背景技術】
【０００２】
フラッシュメモリなどの不揮発性メモリがカード型にパッケージングされた所謂メモリカード（カード型記憶媒体の一例）が広く知られている。近年、上記メモリカードとの電気的な接続を可能とする接続デバイス（記憶媒体接続装置の一例）が一体的に搭載されたプリンタ装置や複合機などに代表される情報機器が市場に出回っている。このような情報機器においては、メモリカードと情報機器とがダイレクトに接続されることにより、ＰＣ（Personal Computer）を介することなくメモリカードと情報機器との間でデータの受け渡しが可能に構成されている。
【０００３】
上記メモリカードの仕様は統一されておらず、現在、複数の規格（メモリカード規格）が存在している。これら複数の規格に基づいて製品化された代表的なメモリカードとしては、例えば、コンパクトフラッシュ（登録商標、以下「ＣＦ」と略称する）、スマートメディア（登録商標、以下「ＳＭ」と略称する）、メモリースティック（登録商標、以下「ＭＳ」と略称する）、ＳＤメモリカード（登録商標、以下「ＳＤ」と略称する）、ＸＤカード（登録商標、以下「ＸＤ」と略称する）など種々のものが挙げられる。
【０００４】
これら各種のメモリカードは接続端子の形状や端子数或いはメモリカードそのもののサイズや形状などがそれぞれ異なるため、上記情報機器には、各種メモリカードの装填を可能とするべく、それぞれのメモリカードに対応するスロットやソケットが設けられている。
【０００５】
ところで、上記情報機器においては、狭いスペースで多数のメモリカードの装填を可能とするべく、多数のソケットが集約して配設されている。そのため、ソケット端子と基板のパターン端子とを接続するための接続スペースをソケットの後方側だけでは十分に確保することができず、従来から、ソケットの前方側、即ち、メモリカードを挿入する挿入口側にも上記接続スペースを確保している。例えば、図１６に示すように、挿入方向に長さの異なる２つのメモリカード１３０，１３１を上下２段に分けて装填するソケット１３２が基板１３３に実装されている場合は、長い方のメモリカード１３０のソケット端子１３４はソケット後方側で基板１３３のパターン端子１３６と接続し、短い方のメモリカード１３１のソケット端子１３５はソケット前方側で基板１３３のパターン端子１３７と接続するようにしている。なお、図１６はメモリーカードの挿入口１３８を正面としたときに左側面からソケットを見たときの模式断面図である。図中の符号１４１，１４２はメモリカード１３０，１３１に設けられた金属端子、符号１３９，１４０は金属端子１４１，１４２との接触部、符号１４３はカバーを示す。
【０００６】
【特許文献１】特開２００５−１５０１８３号公報
【特許文献２】特開２００３−２４９３１４号公報
【発明の開示】
【発明が解決しようとする課題】
【０００７】
ソケット端子とパターン端子と接続スペースをソケット前方側に確保することで、多数のソケットを限られたスペースに集約して配置することが可能となるが、その一方で、メモリカードの挿入口付近に配置されたソケット端子及びパターン端子が挿入口を介して外部から外来サージを受けやすくなる、という問題が生じる。例えば、人体或いは原稿や記録シートに帯電した静電気の放電を上記各端子が誘発して、数ｋＶという高い電圧を基板に引き込むことにより、基板のパターンの焼損、半導体素子の損壊、フラッシュメモリのクラッシュなどの重大な問題を引き起こすおそれがある。このような問題に対して静電気対策に関する種々の提案(特許文献１及び２参照)がなされている。しかしながら、上記特許文献１及び２に記載のいずれの提案もメモリカード或いは周辺部材の構造の複雑化を伴うため、コスト高となるだけでなく、組立作業性に劣るという新たな問題が招来する。
【０００８】
そこで本発明は上記事情に鑑みてなされたものであり、その目的とするところは，カード型記憶媒体の挿入口近傍に端子が設けられている場合に、簡易な構成で該端子への静電気放電や電磁波などの外来サージを防止することが可能な記憶媒体接続装置及びこれを具備する情報機器を提供することにある。
【課題を解決するための手段】
【０００９】
(1)本発明は、基板に実装されたソケットにカード型記憶媒体が挿入されることによって上記ソケットを介して上記カード型記憶媒体と上記基板との電気的接続を可能にする記憶媒体接続装置であって、上記カード型記憶媒体を上記ソケットに挿入するための挿入口が当該装置の外装材に形成され、上記ソケットは、一の上記挿入口から挿入される異なる種別の複数のカード型記憶媒体と上記基板との電気的接続を上記複数のカード型記憶媒体毎に個別に中継するものであり、上記ソケットに挿入されたカード型記憶媒体と上記基板との電気的接続を仲介するソケット端子と、上記基板に形成されたパターン端子との接続部が、上記複数のカード型記憶媒体の種類に応じて上記カード挿入方向にずらされて複数設けられており、上記接続部のなかで、最も上記挿入口近傍にある上記接続部を覆い隠すように上記挿入口からカード型記憶媒体を挿入する方向へ延びる被覆部材が上記外装材に設けられてなる記憶媒体接続装置として構成される。
【００１０】
メモリカードなどのカード型記憶媒体を脱着する際は、ユーザの指が上記挿入口に近づけられる。このとき、人体に静電気が帯電している場合は、メモリカードを抜き出そうとして指を挿入口に近づけたとき、或いはメモリカードを挿入しようとして挿入口にメモリカードを近づけたときに、挿入口近傍に設けられた接続部に静電気が放電することがある。人体から放電される静電気は数ｋＶという高い電圧（サージ電圧）を有するため、このような静電気放電は基板に実装された半導体素子の破壊や電子機器の誤動作を引き起こし、ときには、基板のパターンを焼損させたり、メモリカードのクラッシュさせたりする要因となる。
【００１１】
静電気放電によるサージ電圧から装置を保護する対策としては、バリスタなどを含む過電圧回路を基板に実装すればよいが、多数の端子及び該端子から引き出されるパターン全ての過電圧保護が可能な過電圧回路を設けるのは現実的ではない。そのため、静電気の放電自体を防止することが最良の対策手段であると考えられる。本記憶媒体接続装置においては、静電気が帯電した指やメモリカード或いはその他の帯電体が挿入口に近づけられた場合でも、静電気を誘発する接続部が上記被覆部材によって遮蔽されるため、静電気の放電が防止される。
【００１２】
なお、接続部を上記挿入口近傍に設ける基板設計は、上記ソケットが、一の上記挿入口から挿入される異なる種別の複数のカード型記憶媒体と上記基板との電気的接続を上記複数のカード型記憶媒体毎に個別に中継するものである場合に一般に行われる。従って、このように基板設計された記憶媒体接続装置において本発明は好適である。
【００１３】
(2)また、上記被覆部材は、上記ソケットへの上記カード型記憶媒体の挿入を案内するものでもある。従来は、カバーなどの外装材の肉厚を厚く設計することで、該カバーに形成された挿入口の断面部を広くすることにより、該断面部が、挿入口に挿入されたメモリカードを挿入方向へ案内する役割を担っていた。本発明は、カード型記憶媒体の挿入の案内を上記被覆部材に担わせることにより、一の被覆部材で、静電気の放電の防止と、カード型記憶媒体の円滑な出し入れを実現することができる。また、上記外装材の肉厚を厚くする必要がなくなり、該外装材の肉厚を薄くすることができるため、肉厚を減じた分だけ装置の外形寸法を縮小させることができる。
【００１４】
(3)ここで、上記被覆部材が、上記外装材に一体に成型されてなることが望ましい。これにより、被覆部材を別部材として設ける必要がなくなるため、部品点数の削減を図ることができる。
【００１５】
(4)特に、上記ソケットにおける上記複数のカード型記憶媒体それぞれとの接触部が、上記複数のカード型記憶媒体の種別に応じて上記カード記憶媒体の挿入方向にずらされて配設されている場合は、接触部が挿入口側にあるカード型記憶媒体の接続部が挿入口近傍に設けられる。
【００１６】
(5)本発明は、記憶媒体接続装置を具備する情報機器として捉えることもできる。スキャナ装置や複写機などの情報機器では、静電気を帯電しやすいＯＨＰや紙などのシート状部材が扱われるため、該シート状部材が挿入口に近づけられることによる静電気放電の発生を効果的に防止することができる。
【発明の効果】
【００１７】
本発明によれば、上記挿入口近傍に設けられた接続部に対して、該接続部を覆い隠すように上記挿入口からカード型記憶媒体を挿入する方向へ延びる被覆部材を装置の外装材に設けるといった簡易な構成で、外部からの静電気や電磁波を効果的に遮断することができる。
【発明を実施するための最良の形態】
【００１８】
以下、適宜図面を参照して本発明の実施の形態を説明する。図１は、本発明の実施の形態に係る複合機１(情報機器の一例)の外観構成を示す全体斜視図である。本複合機１はいわゆる多機能装置（MFD：Multi Function Device）であって、下部に配設されたプリンタ部２と、その上部に配設されたスキャナ部３と、スキャナ部３の更に上部に配設された原稿カバー４と、装置上面の前方に配置された操作パネル６と、装置前面に配置されたスロット部７（記憶媒体接続装置の一例）とを一体的に備えており、プリンタ機能、スキャナ機能、コピー機能及びファクシミリ機能などの各種機能を有する。なお、本発明を実現するうえで、複数の機能を一体的に備えている必要はなく、いずれかの機能のみを有する専用機、例えば、スキャナ機能のみを有するスキャナ装置、或いはプリンタ機能のみを有するプリンタ装置、コピー機能のみを有する複写機、ファクシミリ機能のみを有するファクシミリ装置にも本発明を適用することは可能である。
【００１９】
本複合機１は、主に不図示のＰＣ（Personal Computer）やメモリカード(カード型記憶媒体の一例)、ＵＳＢ（Universal Serial Bus）メモリなどの外部デバイスとダイレクトに接続して、該外部デバイスから転送された画像データや文書データを含む記録データに基づいて、プリンタ部２において画像や文書を記録用紙に記録するものである。また、複合機１は、スキャナ部３により読み取られた画像データを上記外部デバイスへ転送することも可能である。また、上記外部デバイスとの間でデータの送受信をすることなく、スキャナ部３で読み取った画像をプリンタ部２において記録する所謂コピー機能を行うことも可能である。更に、ＰＣとデータ通信可能に接続された状態で、ＰＣから複合機１に接続されたメモリカードなどへのアクセスを可能とする周辺装置としても本複合機１は機能する。以下、本複合機１の各構成部の概略について順次説明する。なお、以下に説明する複合機１の構成は、本発明の情報機器の単なる一例であって、言うまでもなく、本発明の要旨を変更しない範囲で適宜変更することが可能である。
【００２０】
（操作パネル）
複合機１の上面の前方側であって、スキャナ部３の正面側の上面には、プリンタ部２やスキャナ部３を操作するための操作パネル６が設けられている。操作パネル６には、各種操作キーや液晶表示部などが配設されて構成されている。本複合機１は、操作パネル６から入力された指示に従って動作するように制御されている。なお、前述したように複合機１がコンピュータに接続されている場合には、コンピュータからプリンタドライバ又はスキャナドライバ等を介して送信される指示に基づいて本複合機１は動作される。
【００２１】
（スロット部）
スロット部７は、記憶媒体である各種小型メモリカードの装填を可能とするものであり、複合機１の正面の左上部に設けられている。本複合機１では、スロット部７に装填された小型メモリカードに記憶された画像データを読み出してその画像データに関する情報を操作パネル６の液晶表示部に表示させ、任意の画像をプリンタ部３により記録用紙に記録させることができる。このための入力は、操作パネル６から行うことができる。また、記録用紙に記録される画像データのみならず、上述した通り、各種小型メモリカードは別の用途にも用いられ得ることは言うまでもない。
【００２２】
図５に示すように、スロット部７には、ＭＳ（メモリスティック：登録商標）を挿入するための第１スロット５１と、ＳＤ（ＳＤカード：登録商標）を挿入するための第２スロット５２と、ＳＭ（スマートメディア：登録商標）を挿入するための第３スロット５３と、ＸＤ（ＸＤカード：登録商標）を挿入するための第４スロット５４と、ＣＦ（コンパクトフラッシュ：登録商標）を挿入するための第５スロット５５とを備えている。このうち、第１〜第４スロット５１〜５４は制御基板７４（図１１参照）の実装されたソケット７５（図１１参照）に設けられ、第５スロット５５は制御基板７４に実装されたソケット７６（図１１参照）に設けられている。ここに、上記した各メモリカードは本発明のカード型記憶媒体の一例である。
【００２３】
上記スロット部７の表面は、複合機１の本体筐体に嵌め込まれたカバー５６（外装材の一例）で構成されている。このカバー５６には、図６に示すように、第１〜第３挿入口６１〜６３が形成されている。第１挿入口６１は、第１及び第２スロット５１，５２にＳＤとＭＳを挿入するためのものであり、第２挿入口６２は、第３及び第４スロット５３，５４にＳＭ及びＸＤを挿入するためのものである。また、第３挿入口６３は第５スロット５５にＣＦを挿入するためのものである。上記カバー５６は、複合機１の外装を構成するとともに、スロット部７の内側に配設された制御基板７４（図１１参照）や該制御基板７４に実装されたソケット７５，７６（図１１参照）を覆い隠し、装置内部への塵埃の混入或いは静電気や電磁波などの外来サージを遮断する機能を持つ。また、該カバー５６の表面に各スロット５１〜５５に挿入可能なメモリカードの名称を記すことで、上記カバー５６は銘板としても機能する。なお、上記カバー５６の構造については後段で詳細に説明する。
【００２４】
(原稿カバー)
図１に示すように、原稿カバー４には、原稿が載置される原稿トレイ４３から所定の搬送路を経て原稿排出トレイ４４へ原稿を自動的に連続搬送するＡＤＦ（Auto Document Feeder：自動原稿搬送機構）５が備えられている。ＡＤＦ５による搬送過程において、原稿がプラテンガラス１０上の読取面１４（図２参照）を通過し、該読取面１４の下方において画像読取ユニット１６が該原稿の画像を読み取るようになっている。
【００２５】
（スキャナ部）
スキャナ部３は、図１及び図２に示すように、ＦＢＳ（Flatbed Scanner）として機能する原稿読取台８を備えており、ＡＤＦ５を備えた原稿カバー４が、該原稿読取台８に対して、背面側の蝶番１５を介して開閉可能に取り付けられてなる。ここに、図２は原稿カバー４が開けられた状態を示す斜視図である。
【００２６】
原稿読取台８は、複合機１の筐体の一部をなし、装置上面の一部を構成している。図２に示すように、原稿カバー４と対向する原稿読取台８の上面にはプラテンガラス１０が配設されている。原稿カバー４が図１に示すように閉じられた状態で、プラテンガラス１０は原稿カバー４により覆われる。この状態で、原稿カバー４が装置の上面の一部となる。
【００２７】
原稿カバー４の底面、すなわち、プラテンガラス１０と対向する面には、図２に示すように、プラテンガラス１０に載置された原稿を押さえるために、スポンジ及び板部材などからなる原稿押さえ部材１１が配設されている。原稿押さえ部材１１は、原稿から安定した反射光を得るために、全域に亘って白色などの単一色とされている。
【００２８】
原稿カバー４の底面の端部には、ＡＤＦ５による原稿の読み取りの際に、原稿をプラテンガラス１０の所定の読取面１４上に露出させ、読み取り後に原稿を再びＡＤＦ５の内部に戻すための開口１２が形成されている。プラテンガラス１０の一端側は、上記開口１２の下方付近にまで至っている。基準板１３は、プラテンガラス１０の一端から所定幅だけ隔てて配置されている。この所定幅だけ隔てられた間隔が、ＡＤＦ５による読み取りの際の上記読取面１４を構成する。
【００２９】
プラテンガラス１０は、スキャナ部３をＦＢＳとして使用する場合に原稿を載置するものであり、例えば無色透明なガラス板である。プラテンガラス１０の上面に、基準板１３が設けられている。この基準板１３は、スキャナ部３がＦＢＳとして用いられる場合に原稿が載置される位置を決めるためのものである。基準板１３は、正面から見てプラテンガラス１０の奥行き方向（主走査方向）に延設された長尺の平板状の部材である。基準板１３の上面には、中央位置やＡ４サイズ、Ｂ５サイズ等の各種原稿サイズの両端位置を示す表示が記されている。また、基準板１３の上面には、ＡＤＦ５によりプラテンガラス１０上を通過するように搬送される原稿をすくい上げて再びＡＤＦ５の内部に戻すガイド面が形成されている。
【００３０】
原稿読取台８の内部には、図３に示すように、プラテンガラス１０に対向するようにして配置された画像読取ユニット１６、該画像読取ユニット１６を支持するキャリッジ１７、ガイドシャフト１８、ローラユニット１９などが配設されている。ガイドシャフト１８は同図の紙面に垂直な方向（副走査方向）に架設されている。キャリッジ１７はガイドシャフト１８に連結されることにより、紙面に垂直な方向に摺動自在に支持される。キャリッジ１７が図示しないベルト駆動機構により駆動されると、該キャリッジ１７は画像読取ユニット１６と共にプラテンガラス１０の下方を副走査方向へ往復移動する。ローラユニット１９は、画像読取ユニット１６の両端部に設けられている。このローラユニット１９のローラ面がプラテンガラス１０の裏面２０に当接している。したがって、画像読取ユニット１６がキャリッジ１７の移動に伴って移動した場合は、ローラユニット１９のローラがプラテンガラス１０に沿って転動する。このローラユニット１９が設けられているので、画像読取ユニット１６がプラテンガラス１０の裏面２０に押し付けられていても、画像読取ユニット１６は、プラテンガラス１０に沿って円滑に移動する。また、このローラユニット１９は、プラテンガラス１０と画像読取ユニット１６との距離を一定に保つ役割も果たしている。従って、画像読取ユニット１６が焦点深度の浅いＣＩＳ（Contact Image Sensor）から構成されていても、プラテンガラス１０上に載置された原稿の画像は、画像読取ユニット１６により良好に読み取られる。
【００３１】
本複合機１では、操作パネル６から読取指示が入力されると、ベルト駆動機構が作動して、ガイドシャフト１８上を摺動するように画像読取ユニット１６を移動させる。そして、画像読取ユニット１６は、移動しながら原稿読取台８のプラテンガラス１０上に載置された原稿に光を照射すると共に、該原稿からの反射光を受光する。そして、受光した光を電気信号に変換する。このように変換された電気信号が、原稿の画像データとして読み取られることになる。
【００３２】
（プリンタ部）
図４に示すように、プリンタ部２は、インクタンク２６とインクジェット記録ヘッド２７とを有する画像記録部２８を備えており、従って、上記プリンタ部２は、インクジェット記録装置として構成されている。プリンタ部２の正面下部には記録カセット収容部２３が設けられている。記録カセット収容部２３には、画像が形成される記録紙が積載される。記録紙カセット２３の奥側（図中右側）には分離傾斜板３０が配設されている。図４では、該分離傾斜板３０は、記録紙カセット２３から離間して配置されているように示されているが、実際には後述する給紙ローラ３４と協働して記録紙カセット２３内の記録紙を一枚ずつ分離して上方へ案内する役割を果たす。分離傾斜板３０の上方へ向かって用紙搬送路３１が形成されている。用紙搬送路３１は、分離傾斜板３０から上方へ延びた後に、図中の紙面左方へ湾曲することにより、本複合機１の背面側から正面側へと延設されている。さらに、該用紙搬送路３１は、画像記録部２８を通過して記録紙排出トレイ３２へ通じている。従って、記録紙カセット２３に収容された記録紙は用紙搬送路３１により、下方から上方へＵターンするように案内されて、画像記録部２８に至る。そして、該画像記録部２８によって、用紙搬送路３１を搬送される記録紙に画像記録が行われた後に、該記録紙は記録紙排出トレイ３２に排出される。
【００３３】
記録紙カセット２３の上側に給紙ローラ３４が設けられている。給紙ローラ３４は分離傾斜板３０と協働して、記録紙カセット２３に積載された記録紙を一枚ずつ分離して取り出し、そして、用紙搬送路３１へ供給する。給紙ローラ３４は従来周知の構造を有する。本実施形態では、給紙ローラ３４が給紙アーム３５の先端で軸支された構造を採用している。給紙ローラ３４は、給紙トレイ２３に積載された最上位の記録紙とそのローラ面と接離可能なように、上下動することができる構造となっている。給紙ローラ３４は、図示しない駆動伝達機構を介してモータと連結されている。この駆動伝達機構は、複数のギアが噛合されて構成され得る。そして、上記モータが作動することにより、その駆動力が給紙ローラ３４に伝達されて、給紙ローラ３４が回転するようになっている。回転された給紙ローラ３４により、記録紙が記録紙カセット２３から取り出されて、用紙搬送路３１へ送り出される。
【００３４】
給紙アーム３５は、基端軸３６に支持されており、当該基端軸３６の回りに回動可能となっている。これにより、給紙アーム３５は、基端軸３６を揺動中心として上下方向に揺動可能となる。給紙アーム３５は、記録紙カセット２３が装着された状態では、図示しない給紙クラッチやバネ等により記録紙カセット２３に付勢されており、記録紙カセット２３が取り出された状態で、上側へ跳ね上げられるようになっている。給紙アーム３５が下側へ回動することにより、その先端に軸支された給紙ローラ３４が記録紙カセット２３の記録紙の表面に圧接する。その状態で給紙ローラ３４が回転すると、上述した通り、分離傾斜板３０との協働により記録紙カセット２３内の最上位の記録紙が一枚ずつ分離されて送り出される。送り出された記録紙は、用紙搬送路３１へ送り込まれる。
【００３５】
上記画像記録部２８は、用紙搬送路３１が下方から上方へＵターンした後の下流側に設けられている。上記インクジェット記録ヘッド２７と対向してプラテン３７が設けられている。搬送される記録紙は、このプラテン３７に送られる。インクジェット記録ヘッド２７は、プラテン３７上に配置された記録紙にインク滴を吐出する。このインクジェット記録ヘッド２７は、図示しないキャリッジに搭載されている。該キャリッジは、モータによって同図において紙面に垂直な方向にスライドされる。インクジェット記録ヘッド２７は、スライドされつつ上記各色のインクをインク滴として上記記録紙上に吐出し、これにより、当該記録紙に画像が記録される。
【００３６】
上記インクジェット記録ヘッド２７の用紙搬送路３１の上流側に駆動ローラ３８及び押さえローラ３９が設けられ、下流側に排紙ローラ４０及び押さえローラ４１が設けられている。駆動ローラ３８及び排紙ローラ４０は、図示しないＬＦモータにより回転駆動される。これらのローラの回転を受けて、記録紙は用紙搬送路３１の下流側へ送られる。この記録紙の搬送は、図示しない用紙搬送用エンコーダにより監視されている。具体的には、用紙搬送用エンコーダは、駆動ローラ３８や排紙ローラ４０の回転軸に設けられたエンコーダディスク及び回転するエンコーダディスクからパルスを読み取るフォトセンサからなる。従って、上記駆動ローラ３８や排紙ローラ４０の回転数が用紙搬送用エンコーダによって検出されることにより、上記記録紙の搬送距離が求められるようになっている。
【００３７】
上記押さえローラ３９，４１は、上記駆動ローラ３８，排紙ローラ４０に対して所定の押圧力で押圧するように弾性付勢されている。これにより、記録紙が各ローラにニップされて搬送されるのでローラの回転力が確実に記録紙へ伝達される。なお本実施形態では、押さえローラ４１は、記録済みの記録紙に圧接されるので、記録紙に記録された画像を劣化させないようにローラ面が拍車状に形成されている
【００３８】
駆動ローラ３８及び押さえローラ３９に狭持された記録紙は、所定の改行幅でプラテン３７を間欠的に搬送される。インクジェット記録ヘッド２７は、記録紙の改行ごとにスライドされ、記録紙の先端側から画像記録を行う。画像記録が行われた記録紙は、その先端側から排紙ローラ４０及び押さえローラ４１に狭持される。即ち、記録紙は、その先端を排紙ローラ４０及び押さえローラ４１に、その後端側を駆動ローラ３８及び押さえローラ３９に狭持された状態で所定の改行幅で間欠して搬送され、このように搬送されつつインクジェット記録ヘッド２７によって画像の記録が行われる。記録紙の所定領域に画像が記録された後は、排紙ローラ４０が連続的に回転駆動され、排紙ローラ４０及び押さえローラ４１により狭持された記録紙は、記録紙排出トレイ３２へ排出される。
【００３９】
なお、本実施形態では、プリンタ部２がインクジェット記録装置として構成された例について説明するが、例えば、レーザ光を用いて感光体上に形成された静電潜像にトナーを付着させ、更にそのトナーを記録紙に転写させるレーザプリンタや、アナログ電子写真方式の画像形成装置として構成されていてもよく、また、感光用紙を熱処理して変色させることによって印字するサーマル方式の画像形成装置（所謂サーマルプリンタ）として構成されていてもよい。
【００４０】
ここで、図６から図１０を用いて、上記スロット部７（図１参照）のカバー５６について詳細に説明する。ここに、図６はカバー５６の正面図、図７は図６のVII−VII線断面の拡大図、図８は図６のVIII−VIII線断面の拡大図、図９はカバー５６を正面側から見たときの斜視図、図１０はカバー５６を内部側から見たときの斜視図である。また、以下の説明において参照される図１１はカバー５６が取り付けられた制御基板７４の平面図、図１２はソケット７５，７６のパターン端子を示す制御基板７４の平面図、図１３は制御基板７４に固定されたカバー５６の正面図、図１４は制御基板７４に実装されたソケット７５，７６の正面図、図１５は図１３のXV−XV線断面図である。なお、図１５においては、図１６で示す構成要素と同じ構成要素に同符号を付して表している。
【００４１】
図６に示すように、カバー５６には、第１〜第３挿入口６１〜６３が形成されている。第１挿入口６１は、ＳＤ（ＳＤカード）及びＭＳ（メモリスティック）を挿入するための共通の開口である。図示するように、第１挿入口６１の下段はＳＤの挿入を可能とするため、少なくともＳＤの幅以上に形成されており、上段はＭＳの挿入を可能とするため、少なくともＭＳの幅以上に形成されている。また、第２挿入口６２は、ＳＭ（スマートメディア）及びＸＤ（ＸＤカード）を挿入するための共通の開口であり、この第２挿入口６２も第１挿入口６１と同じように、下段はＸＤの幅以上に形成され、上段はＳＭの幅以上に形成されている。なお、第３挿入口６３はＣＦ（コンパクトフラッシュ）だけを挿入するための開口である。
【００４２】
カバー５６の裏面には、図７〜図１０に示すように、第１挿入口６１の下辺の下縁６４からメモリカードを挿入する方向、即ち、図７の紙面の右方向へ延びる平板状のリブ６５（被覆部材の一例）が形成されている。このリブ６５によって、カバー５６が複合機１の本体筐体などに装着された際に、メモリカードが装填されるソケット７５，７６（図１１参照）と該ソケット７５，７６が実装された制御基板７４（図１１参照）との接続部が覆い隠される。これにより、上記接続部が遮蔽され、該接続部が第１挿入口６１から露出することが防止される。
【００４３】
また、上記リブ６５は、第１挿入口６１に挿入されたＳＤの第１スロット５２への挿入を案内するガイド機能も有する。従って、従来のように、第１挿入口６１の下縁６４にガイド機能を持たせるべくカバー５６の肉厚を厚くする必要がないため、カバー５６の肉厚を薄くして、装置の前後方向（装置正面から見て奥行き方向）の外形寸法を縮小することができる。
【００４４】
上記カバー５６の左右方向の両端には、本体筐体に設けられた図示しない溝と係合する係合爪６６が形成されている。また、図７に示すように、カバー５６の裏面には、カバー５６が本体筐体に嵌め込まれたときに、制御基板７４（図１１参照）を狭持することでカバー５６を制御基板７４に固定する２つの固定具６７（図１０参照）が左右方向に分離した位置に形成されている。この固定具６７に制御基板７４が挿入されて固定されることにより、ソケット７５，７６に設けられたスロットと挿入口との位置決めがなされる（図１３参照）。上記固定具６７で制御基板７４を狭持することでカバー５６が制御基板７４に固定された状態を図１１に示す。なお、同図には、説明の便宜上、実装面にソケット７５，７６だけが実装された制御基板７４を示し、他の半導体素子などの電子素子は示されていない。
【００４５】
また、図１０に示すように、カバー５６の裏面には、第３挿入口６３の上縁７０からメモリカードを挿入する方向へ延びる平板状のリブ７１が形成されている。このリブ７１の先端には、制御基板７４（図１１参照）に実装されたソケット７６（図１１参照）と係合してカバー５６を固定する鉤状の留め具６８が設けられている。また、カバー５６の裏面の下端にも鉤状の留め具６９が設けられている。これらの留め具６８，６９により、カバー５６の固定及び本体筐体への嵌め込みが確実となる。
【００４６】
なお、本実施形態では、上記カバー５６は、ポリエチレン（ＰＥ）やポリプロピレン（ＰＰ）、ガラス繊維強化プラスチック（ＦＲＰ）、ＡＢＳ樹脂等の樹脂の成型品からなる。従って、カバー５６に設けられたリブ６５、係合爪６６などはカバー５６の成型時に一体に形成される。また、リブ６５や係合爪６６はカバー５６に一体に成型されたものではなく、別体として形成されたものであって、カバー５６に固定されていてもよい。
【００４７】
図１３から図１５に示すように、ソケット７５には第１〜第４スロット５１〜５４が設けられている。このソケット７５は、第１〜第４スロット５１〜５４に装填されたメモリカードを電気的に中継して制御基板７４に接続するためのものである。また、ソケット７６には第５スロット５５が設けられている。このソケット７６は、第５スロット５５に装填されたメモリカードを制御基板７４に電気的に中継するものである。
【００４８】
図１３に示すように、第１スロット５１及び第２スロット５２は上下方向に並べて近接した状態で配設されている。また、第３スロット５３及び第４スロット５４も上下方向に並べて配設されている。第１スロット５１に装填されるＭＳと第２スロット５２に装填されるＳＤはそれぞれ挿入方向先端に金属端子が形成されており、それぞれのメモリカードが各スロットに装填されると、奥部に設けられたＭＳ用の接触部１３９とＳＤ用の接触部１４０とにそれぞれ接触する。これにより、それぞれのメモリカード（ＭＳ及びＳＤ）が一つのソケット７５を介して制御基板７４とそれぞれ個別に電気的に接続される。なお、図示して説明しないが、第３スロット５３及び第４スロット５４も上記したように第１スロット５１及び第２スロット５２と同様に構成されている。
【００４９】
第１スロット５１に装填されるＭＳと第２スロット５２に装填されるＳＤとは挿入方向の長さがそれぞれ異なる。そのため、上記接触部１３９，１４０はメモリカードの挿入方向にずらされて配置されている。具体的には、ＳＤよりもＭＳの方が長いため、接触部１３９が接触部１４０より奥方向に配置されている。そのため、図１５に示すように、ＭＳに対応するソケット端子１３４はソケット７５の後方側の制御基板上でパターン端子１３６と接続され、ＳＤに対応するソケット端子１３５はソケット７５の前方側、即ち挿入口６１の近傍の制御基板上でパターン端子１３７と接続される。なお、図１２に制御基板７４に形成されたパターン端子１３６，１３７を示す。
【００５０】
本実施形態に係る複合機１においては、上述の如く、ソケット７５が実装された制御基板７４に上記リブ６５が設けられたカバー５６が固定されると、図１５に示すように、ソケット端子１３５とパターン端子１３７との接続部が上記リブ６５により覆い被せられる。これにより、上記リブ６５をカバー５６に設けるといった簡易な構成で、電磁波や、電気が帯電した帯電体が第１挿入口に近づけられた場合における上記接続部への静電気放電などを効果的に防止することができる。また、第２スロット５２へメモリカードを挿入する際に、上記リブ６５の上面に沿わせてメモリカードをスライドさせつつ挿入することで、該メモリカードの円滑な挿入を実現することができる。更にまた、従来の如く第１挿入口６１の下縁６４にガイド機能を持たせる必要がないため、カバー５６の肉厚を薄くして、装置の外形寸法を縮小させることができる。
【００５１】
上述した実施形態では、記憶媒体接続装置の一例として、複合機１に設けられたスロット部７を例示して説明した。該記憶媒体接続装置の他の例として、スロットに装填されたメモリカードとの間でデータの読み書きを行うリーダライタなどの周辺装置が挙げられる。この周辺装置に設けられた複数のスロットを覆うカバーにも本発明を適用することが可能である。もちろん、本発明の要旨を変更しない範囲で、実施形態を適宜変更できることは言うまでもない。また、上述した実施形態では、情報機器の一例として、インクジェット記録方式の複合機１を例示して説明した。しかしながら、情報機器の他の例としては、上述した通り、複合機のみならず単機能機であってもよい。また画像の記録方式も、電子写真方式やレーザ記録方式、熱転写記録方式、マイクロカプセル破壊方式、ワイヤドット記録方式等のあらゆる記録方式を採用することができる。更に、記憶媒体接続装置を搭載可能な情報機器であれば、画像データのみならず、文書データや音楽データ、更には動画データ等の各種情報（データ）を扱う情報機器の全てに本発明を適用可能であることは言うまでもない。
【図面の簡単な説明】
【００５２】
【図０１】本発明の実施の形態に係る複合機１の外観構成を示す斜視図。
【図０２】原稿カバー４が開けられた複合機１の外観構成を示す斜視図。
【図０３】スキャナ部３の概略構成を示す模式断面図。
【図０４】プリンタ部２の概略構成を示す模式断面図。
【図０５】スロット部７の部分拡大図。
【図０６】カバー５６の正面図。
【図０７】図６のVII−VII線断面の拡大図。
【図０８】図６のVIII−VIII線断面の拡大図。
【図０９】カバー５６を正面側から見たときの斜視図。
【図１０】カバー５６を内部側から見たときの斜視図。
【図１１】カバー５６が取り付けられた制御基板７４の平面図。
【図１２】ソケット７５，７６のパターン端子を示す制御基板７４の平面図。
【図１３】制御基板７４に固定されたカバー５６の正面図。
【図１４】制御基板７４に実装されたソケット７５，７６の正面図。
【図１５】図１３のXV−XV線の模式断面図。
【図１６】ソケット１３２を覆う従来のカバー構造を示す模式図。
【符号の説明】
【００５３】
１・・・複合機（情報機器の一例）
２・・・プリンタ部
３・・・スキャナ部
４・・・原稿カバー
５・・・ＡＤＦ
６・・・操作パネル
７・・・スロット部
８・・・原稿読取台
１０・・・プラテンガラス
１１・・・原稿押さえ
５１・・・第１スロット
５２・・・第２スロット
５３・・・第３スロット
５４・・・第４スロット
５５・・・第５スロット
５６・・・カバー（外装材の一例）
６１・・・第１挿入口
６２・・・第２挿入口
６３・・・第３挿入口
６５・・・リブ（被覆部材の一例）
７４・・・制御基板
７５，７６・・・ソケット
【図１】
0004449883.tif 000002
【図２】
0004449883.tif 000003
【図３】
0004449883.tif 000004
【図４】
0004449883.tif 000005
【図５】
0004449883.tif 000006
【図６】
0004449883.tif 000007
【図７】
0004449883.tif 000008
【図８】
0004449883.tif 000009
【図９】
0004449883.tif 000010
【図１０】
0004449883.tif 000011
【図１１】
0004449883.tif 000012
【図１２】
0004449883.tif 000013
【図１３】
0004449883.tif 000014
【図１４】
0004449883.tif 000015
【図１５】
0004449883.tif 000016
【図１６】
0004449883.tif 000017